(57)【要約】【課題】盗人が帽子を被っているときでも該盗人の顔を明瞭に撮影することができ、暗時においても盗人の車両のナンバーを撮影することができ、持ち運びが容易であって、防犯効果の高い安価な防犯カメラ装置を提供する。【解決手段】フラッシュ装置１を備えたデジタルカメラ３と、人又は物を感知するセンサー５と、無線ランと、警報手段を備えたコンピュータ９とよりなることを特徴とする防犯カメラ装置。無線ランは、デジタルカメラ３側の発信用無線手段７ａと、コンピュータ９側の受信用無線手段７ｂとを備えている。【選択図】図１
0003138657.tif 000002
【実用新案登録請求の範囲】
【請求項１】
フラッシュ装置を備えたデジタルカメラと、人又は物を感知するセンサーと、無線ランと、警報手段を備えたコンピュータとよりなることを特徴とする防犯カメラ装置。
【考案の詳細な説明】
【技術分野】
【０００１】
本考案は、防犯カメラ装置に関するものであり、例えば、畑等に栽培されている作物の盗難を防止するために、該畑等に配設される防犯カメラ装置に係るものである。
【背景技術】
【０００２】
防犯カメラは、例えば特開２００６−２６２２２５号公報に示すように、種々のものが知られている。
【特許文献１】特開２００６−２６２２２５号公報
【考案の開示】
【考案が解決しようとする課題】
【０００３】
しかるに、従来の防犯カメラにおいては、下記の如き問題がある。
【０００４】
（イ）畑等に栽培されている作物の盗難を防止するために該畑等に防犯カメラを設置しても、盗人が帽子を被っているときには、該盗人の顔を該防犯カメラで撮影することができないことが往々にしてある。
【０００５】
（ロ）暗時においては、防犯カメラにより盗人の車両のナンバーを撮影することが困難である。
【０００６】
（ハ）防犯カメラを設置したのみでは、防犯効果が低い。
【０００７】
（ニ）防犯カメラの設置費用が嵩むと共に、一旦設置した防犯カメラを他の場所に移設することが困難である。
【０００８】
本考案は、従来の防犯カメラにおける上述の如き問題を解決し、盗人が帽子を被っているときでも該盗人の顔を明瞭に撮影することができ、暗時においても盗人の車両のナンバーを撮影することができ、持ち運びが容易であって、防犯効果の高い安価な防犯カメラ装置を提供しようとしてなされたものである。
【課題を解決するための手段】
【０００９】
上記課題を解決するために、本考案は、下記の防犯カメラ装置を提供する。
【００１０】
フラッシュ装置を備えたデジタルカメラと、人又は物を感知するセンサーと、無線ラン（ＬＡＮ）と、警報手段を備えたコンピュータとよりなることを特徴とする防犯カメラ装置（請求項１）。
【考案の効果】
【００１１】
フラッシュ装置を備えたデジタルカメラと、センサーと、無線ランにおける発信用無線手段とを畑等の所望の場所に設置し、警報手段を備えたコンピュータと、無線ランにおける受信用無線手段とを防犯カメラ装置使用者の自宅等に配設する。
【００１２】
本考案による防犯カメラ装置は、上述の如く構成が簡単であるため、安価であり、持ち運びが極めて容易である。
【００１３】
センサーが不審者等の人又は車両等の物を感知したときには、該センサーが送出する信号により、フラッシュ装置が閃光を発して該人を威嚇すると共に該人又は物を明るく照明する。フラッシュ装置が閃光を発した直後にデジタルカメラが該人又は物を撮影する。
【００１４】
不審者等の人が夜間等の暗時に例えば畑の作物を盗もうとしている際に、突然、フラッシュ装置による閃光を浴びたときには、該人は驚愕し、盗みを止めて逃げ出すものである。
【００１５】
また、突然、フラッシュ装置による閃光を浴びたときには、人は反射的に顔を上げるため、その状態でデジタルカメラが作動すれば、夜間等の暗時においても、帽子を被った人の場合でもその顔を明瞭に撮影することができる。
【００１６】
フラッシュ装置が閃光を発して車両等の物を明るく照明した状態でデジタルカメラが作動すれば、夜間等の暗時においても、車両のナンバー等を明瞭に撮影することができる。
【００１７】
デジタルカメラが撮影した画像データは無線ランを介してコンピュータに転送され、該コンピュータは警報を発すると共に画像データを該コンピュータのハードディスク等の記憶手段に保存する。
【００１８】
防犯カメラ装置使用者は、コンピュータの警報手段により不審者等の存在を知ると共に、該コンピュータに保存されている画像データを適宜利用することができる。
【考案を実施するための最良の形態】
【００１９】
本考案による防犯カメラ装置は、フラッシュ装置１を備えたデジタルカメラ３と、人又は物を感知するセンサー５と、無線ラン７と、警報手段を備えたコンピュータ９とよりなる。
【００２０】
フラッシュ装置１は、盗人等を威嚇するに足る鋭い閃光を発する発光手段である。フラッシュ装置１は、例えば、約１秒間照明する。
【００２１】
デジタルカメラ３は、ＣＣＤカメラよりも広範囲に撮影することができるものを使用する。デジタルカメラ３は、一例として、ＩＳＯ３２００の高感度カメラとする。
【００２２】
人又は物を感知するセンサー５は、例えば対物センサー、人感センサー等とする。
【００２３】
無線ラン７は、デジタルカメラ３側の発信用無線手段７ａと、コンピュータ９側の受信用無線手段７ｂとを備えている。
【００２４】
コンピュータ９は、画像データを保存するためのハードディスク等の記憶手段を備えている。コンピュータ９は、デジタルカメラが撮影した画像データを無線ランを介して受け取ったときに、警報を発する警報手段を備えている。警報手段は、コンピュータ９が音声と画面の表示により警告を与えるようにしたものであってもよいが、コンピュータ９に警告用のブザー、ランプ等を備えさせたものであってもよい。
【００２５】
フラッシュ装置１を備えたデジタルカメラ３と、人又は物を感知するセンサー５と、無線ラン７におけるデジタルカメラ３側の発信用無線手段７ａとは、一例として畑等の所望の場所に設置する。
【００２６】
図示の事例においては、フラッシュ装置１を備えたデジタルカメラ３と、人又は物を感知するセンサー５と、無線ラン７におけるデジタルカメラ３側の発信用無線手段７ａとをケース１１に収納している。該ケース１１は開閉蓋１３を備えている。符号１５に示すものは、フラッシュ装置１を備えたデジタルカメラ３と、人又は物を感知するセンサー５と、無線ラン７におけるデジタルカメラ３側の発信用無線手段７ａとを収納したケース１１を載置する載置台である。
【００２７】
図示の事例においては、コンピュータ９と、コンピュータ９側の受信用無線手段７ｂとを建物１７内に配設している。符号１９に示すものは、ンピュータ９と、コンピュータ９側の受信用無線手段７ｂとを載置する載置台である。
【図面の簡単な説明】
【００２８】
【図１】本考案による防犯カメラ装置の一例を示す説明図である。
【符号の説明】
【００２９】
１  フラッシュ装置
３  デジタルカメラ
５  センサー
７  無線ラン
７ａ  発信用無線手段
７ｂ  受信用無線手段
９  コンピュータ
１１  ケース
１３  開閉蓋
１５  載置台
１７  建物
１９  載置台
【図１】
0003138657.tif 000003
【手続補正書】
【提出日】平成19年11月12日(2007.11.12)
【手続補正１】
【補正対象書類名】実用新案登録請求の範囲
【補正対象項目名】請求項１
【補正方法】変更
【補正の内容】
【請求項１】
人又は物を感知するセンサーと、
該センサーが人又は物を感知したときに該センサーが送出する信号により閃光を発するフラッシュ装置を備え、該フラッシュ装置が閃光を発した直後に該人又は物を撮影するデジタルカメラと、
該デジタルカメラが撮影した画像データをコンピュータに転送する無線ランと、
該無線ランを介して該画像データを受け取るコンピュータと、
該コンピュータが該画像データを受け取ったときに警報を発する、該コンピュータに備えさせた警報手段とよりなることを特徴とする防犯カメラ装置。